(57)【要約】【課題】試料槽の開閉扉が閉められた状態で、ユーザが望むように試料槽内の状況を観察する。【解決手段】環境形成装置に、一以上の試料を収容可能な試料槽と、前記試料槽内を撮影する撮影部と、前記試料槽を開閉する開閉扉と、前記開閉扉の外面に設けられた表示部と、前記試料槽内における観察する対象の観察領域を指定する操作を受け付ける操作部と、前記撮影部によって撮影された画像から、前記観察領域を示す観察画像を抽出し、当該抽出した前記観察画像を前記表示部に表示する表示制御部と、を備える。【選択図】図１
2019203715.tif 000002
【特許請求の範囲】
【請求項１】
一以上の試料を収容可能な試料槽と、
前記試料槽内を撮影する撮影部と、
前記試料槽を開閉する開閉扉と、
前記開閉扉の外面に設けられた表示部と、
前記試料槽内における観察する対象の観察領域を指定する操作を受け付ける操作部と、
前記撮影部によって撮影された画像から、前記観察領域を示す観察画像を抽出し、当該抽出した前記観察画像を前記表示部に表示する表示制御部と、
を備える環境形成装置。
【請求項２】
前記操作部は、更に、前記観察領域を観察するときの視線を指定する第一操作を受け付け可能であり、
前記表示制御部は、前記操作部によって前記第一操作が受け付けられた場合、前記視線で前記観察領域を観察したときに見られる画像を前記観察画像として抽出する
請求項１に記載の環境形成装置。
【請求項３】
前記操作部は、更に、前記観察領域にズームインする第二操作を受け付け可能であり、
前記表示制御部は、前記操作部によって前記第二操作が受け付けられた場合、前記観察領域にズームインした画像を前記観察画像として抽出する
請求項１又は２に記載の環境形成装置。
【請求項４】
前記操作部は、更に、前記観察領域からズームアウトする第三操作を受け付け可能であり、
前記表示制御部は、前記操作部によって前記第三操作が受け付けられた場合、前記観察領域からズームアウトした画像を前記観察画像として抽出する
請求項１から３の何れか一項に記載の環境形成装置。
【請求項５】
前記表示制御部は、更に、前記観察領域に関連する関連情報を前記表示部に表示する
請求項１から４の何れか一項に記載の環境形成装置。
【請求項６】
前記操作部は、更に、前記関連情報の入力操作を受け付け可能である
請求項５に記載の環境形成装置。
【請求項７】
前記表示制御部は、更に、現在表示されている前記観察画像と並べて、過去に撮影した一以上の前記観察画像を前記表示部に表示する
請求項１から６の何れか一項に記載の環境形成装置。
【請求項８】
前記操作部は、更に、前記試料槽内全体を前記観察領域として指定する第四操作を受け付け可能である
請求項１から７の何れか一項に記載の環境形成装置。
【請求項９】
ユーザの識別情報を取得する取得部と、
前記ユーザの識別情報と、前記観察画像を前記表示部に表示するときの表示レイアウトを示すレイアウト情報と、を予め対応付けて記憶する記憶部と、
を更に備え、
前記表示制御部は、前記取得部によって取得された前記ユーザの識別情報と対応付けられている前記レイアウト情報を前記記憶部から取得し、当該取得した前記レイアウト情報が示す表示レイアウトで前記観察画像を表示する
請求項１から８の何れか一項に記載の環境形成装置。
【請求項１０】
前記操作部は、前記観察画像を非表示にする第五操作を受け付け可能であり、
前記表示制御部は、前記操作部によって前記第五操作が受け付けられると、前記観察画像を非表示にする
請求項１から９の何れか一項に記載の環境形成装置。
【請求項１１】
前記操作部は、前記観察画像を拡大又は縮小して表示する第六操作を受け付け可能であり、
前記表示制御部は、前記操作部によって前記第六操作が受け付けられると、前記観察画像を拡大又は縮小して表示する
請求項１から１０の何れか一項に記載の環境形成装置。
【請求項１２】
前記操作部は、前記観察画像の表示位置を変更する第七操作を受け付け可能であり、
前記表示制御部は、前記操作部によって前記第七操作が受け付けられると、前記観察画像の表示位置を変更する
請求項１から１１の何れか一項に記載の環境形成装置。
【発明の詳細な説明】
【技術分野】
【０００１】
本発明は、試料槽内の空気環境を調整可能な環境形成装置に関する。
【背景技術】
【０００２】
従来から、特許文献１に記載のように、インキュベータにおいて、細胞培養室内の所定位置に載置された細胞を撮影手段で撮影し、当該撮影した細胞の画像をインキュベータの開閉扉に設けられた表示部に表示することが知られている。
【先行技術文献】
【特許文献】
【０００３】
【特許文献１】特許第４４７８４１５号公報
【発明の概要】
【発明が解決しようとする課題】
【０００４】
しかし、特許文献１の技術では、インキュベータの開閉扉に、撮影手段によって所定位置に存在する試料を撮影した画像しか表示されない。このため、ユーザが、インキュベータ内に複数の試料を収容し、各試料の状態を観察することを望んだとしても、インキュベータの開閉扉が閉められた状態では、これらの観察を行うことはできなかった。
【０００５】
本発明は、上記事情に鑑みてなされた発明であり、試料槽の開閉扉が閉められた状態でも、ユーザが望むように試料槽内の状況を観察することができる環境形成装置を提供することを目的とする。
【課題を解決するための手段】
【０００６】
本発明による環境形成装置は、一以上の試料を収容可能な試料槽と、前記試料槽内を撮影する撮影部と、前記試料槽を開閉する開閉扉と、前記開閉扉の外面に設けられた表示部と、前記試料槽内における観察する対象の観察領域を指定する操作を受け付ける操作部と、前記撮影部によって撮影された画像から、前記観察領域を示す観察画像を抽出し、当該抽出した前記観察画像を前記表示部に表示する表示制御部と、を備える。
【０００７】
本構成によれば、ユーザによって観察領域を指定する操作が行われると、当該指定された観察領域を示す観察画像が、開閉扉の外面に設けられた表示部に表示される。このため、ユーザは、開閉扉が閉められた状態でも、表示部に表示されている観察画像を視認することで、試験槽内における所望の観察領域を観察することができる。
【０００８】
また、前記操作部は、更に、前記観察領域を観察するときの視線を指定する第一操作を受け付け可能であり、前記表示制御部は、前記操作部によって前記第一操作が受け付けられた場合、前記視線で前記観察領域を観察したときに見られる画像を前記観察画像として抽出してもよい。
【０００９】
本構成によれば、ユーザによって、観察領域を観察するときの視線を指定する第一操作が行われると、指定された視線で観察領域を観察したときに見られる画像が、観察画像として、開閉扉の外面に設けられた表示部に表示される。このため、ユーザは、開閉扉が閉められた状態でも、表示部に表示されている観察画像を視認することで、試験槽内における所望の観察領域を所望の視線で観察することができる。
【００１０】
また、前記操作部は、更に、前記観察領域にズームインする第二操作を受け付け可能であり、前記表示制御部は、前記操作部によって前記第二操作が受け付けられた場合、前記観察領域にズームインした画像を前記観察画像として抽出してもよい。
【００１１】
本態様によれば、ユーザは、第二操作を行うことにより、観察領域にズームインした画像を観察画像として表示部に表示することができる。これにより、ユーザは、観察領域をより詳細に観察することができる。
【００１２】
また、前記操作部は、更に、前記観察領域からズームアウトする第三操作を受け付け可能であり、前記表示制御部は、前記操作部によって前記第三操作が受け付けられた場合、前記観察領域からズームアウトした画像を前記観察画像として抽出してもよい。
【００１３】
本態様によれば、ユーザは、第三操作を行うことにより、観察領域からズームアウトした画像を観察画像として表示部に表示することができる。これにより、ユーザは、観察領域をより俯瞰して観察することができる。
【００１４】
また、前記表示制御部は、更に、前記観察領域に関連する関連情報を前記表示部に表示してもよい。
【００１５】
本態様によれば、ユーザは、観察領域を示す画像だけでなく、当該観察領域に関連する関連情報も視認することができる。このため、ユーザは、試料槽内における観察領域の状況をより詳細に把握することができる。
【００１６】
また、前記操作部は、更に、前記関連情報の入力操作を受け付け可能であってもよい。
【００１７】
本態様によれば、ユーザは、観察領域を示す画像だけでなく、ユーザによって入力された当該観察領域に関連する関連情報も参照することができる。このため、例えば、観察領域を観察するユーザを他のユーザに変更する場合、変更前のユーザが、観察領域の観察中に気付いた事項等を関連情報として入力操作しておくことで、前記他のユーザに当該観察領域に関連する関連情報を伝達することができる。
【００１８】
また、前記表示制御部は、更に、現在表示されている前記観察画像と並べて、過去に撮影した一以上の前記観察画像を前記表示部に表示してもよい。
【００１９】
本態様によれば、観察画像と並べて、過去に撮影された一以上の観察画像が表示される。このため、ユーザは、現在の観察領域の状況と過去の一以上の時点における観察領域の状況とを比較して、観察領域の状況が現在の状況に至るまでの変遷を容易に把握することができる。
【００２０】
また、前記操作部は、更に、前記試料槽内全体を前記観察領域として指定する第四操作を受け付け可能であってもよい。
【００２１】
本態様によれば、ユーザは、第四操作を行うことにより、試料槽内全体を示す画像を観察画像として表示部に表示することができる。これにより、ユーザは、試料槽内全体の状況を一目で観察することができる。
【００２２】
また、ユーザの識別情報を取得する取得部と、前記ユーザの識別情報と、前記観察画像を前記表示部に表示するときの表示レイアウトを示すレイアウト情報と、を予め対応付けて記憶する記憶部と、を更に備え、前記表示制御部は、前記取得部によって取得された前記ユーザの識別情報と対応付けられている前記レイアウト情報を前記記憶部から取得し、当該取得した前記レイアウト情報が示す表示レイアウトで前記観察画像を表示してもよい。
【００２３】
本態様によれば、ユーザの識別情報と対応付けられているレイアウト情報が示す表示レイアウトで観察画像が表示される。このため、ユーザにとって視認性のよい観察画像の表示レイアウトを示すレイアウト情報を、当該ユーザの識別情報と対応付けて記憶部に記憶しておくことで、当該ユーザは、自身にとって視認性のよい表示レイアウトで表示された観察画像を視認して、観察画像が示す観察領域をより適切に観察することができる。
【００２４】
また、前記操作部は、前記観察画像を非表示にする第五操作を受け付け可能であり、前記表示制御部は、前記操作部によって前記第五操作が受け付けられると、前記観察画像を非表示にしてもよい。
【００２５】
本態様によれば、ユーザは、第五操作を行うことにより、観察画像を非表示にすることができる。これにより、環境形成装置前に訪れた第三者に観察画像が視認され、当該観察画像が示す観察領域の状況が把握されることを、迅速に回避することができる。
【００２６】
また、前記操作部は、前記観察画像を拡大又は縮小して表示する第六操作を受け付け可能であり、前記表示制御部は、前記操作部によって前記第六操作が受け付けられると、前記観察画像を拡大又は縮小して表示するようにしてもよい。
【００２７】
本態様によれば、ユーザは、第六操作を繰り返すことにより、観察画像の大きさを視認し易い大きさに変更させることができる。
【００２８】
また、前記操作部は、前記観察画像の表示位置を変更する第七操作を受け付け可能であり、前記表示制御部は、前記操作部によって前記第七操作が受け付けられると、前記観察画像の表示位置を変更してもよい。
【００２９】
本態様によれば、ユーザは、第七操作を繰り返すことにより、観察画像の表示位置を視認し易い位置に変更させることができる。
【発明の効果】
【００３０】
本発明によれば、試料槽の開閉扉が閉められた状態で、ユーザが望むように試料槽内の状況を観察することができる環境形成装置を提供することができる。
【図面の簡単な説明】
【００３１】
【図１】環境試験装置の一例を示す外観図である。
【図２】環境試験装置の電気的構成の一例を示すブロック図である。
【図３】観測窓画面及び計装画面の表示例を示す図である。
【図４】記憶部に予め記憶されている情報の一例を示す図である。
【図５】環境試験装置における試料の試験の動作を示すフローチャートである。
【図６】試験開始前の観測窓画面及び計装画面の表示例を示す図である。
【図７】試験開始後の観測窓画面及び計装画面の表示例を示す図である。
【図８】観察領域を試料槽内の全域に変更したときの観測窓画面及び計装画面の表示例を示す図である。
【図９】観察画像を非表示にした観測窓画面の表示例を示す図である。
【図１０】観察領域を移動させたときの観測窓画面及び計装画面の表示例を示す図である。
【図１１】視線を移動させたときの観測窓画面の表示例を示す図である。
【図１２】観察領域にズームインしたとき及び観察領域からズームアウトしたときの観測窓画面の表示例を示す図である。
【図１３】拡大して表示された観測窓画面の表示例を示す図である。
【図１４】表示位置が変更された観測窓画面の表示例を示す図である。
【図１５】入力された関連情報の表示例を示す図である。
【図１６】履歴観測窓画面の表示例を示す図である。
【発明を実施するための形態】
【００３２】
（実施形態）
以下、本発明に係る環境形成装置の一実施形態である環境試験装置１について説明する。図１は、環境試験装置１の一例を示す外観図である。図１において、セクション（Ａ）は環境試験装置１の上面図を示し、セクション（Ｂ）は環境試験装置１の正面図を示し、セクション（Ｃ）は、環境試験装置１の右側面図を示している。
【００３３】
図１のセクション（Ａ）〜（Ｃ）に示すように、環境試験装置１は、試料槽１８、空調槽１９、開閉扉２、表示部６、操作部７及び画像センサー１３を備えている。
【００３４】
試料槽１８は、前方に開口部を有し、内部の側壁には、一以上の試料を載置可能な試料棚を支持するための支持部材が設けられている。空調槽１９は、試料槽１８に収容された各試料の耐熱性や耐湿性等の試験を行うため、所定の試験条件に従い、試料槽１８内の空気環境を調整可能に構成されている。
【００３５】
具体的には、試料槽１８と空調槽１９との間の仕切壁１８９には、不図示の吹出口と吸込口とが設けられている。後述の空調部３によって空調槽１９内の空気の温度及び湿度が調整され、当該調整された空気が吹出口から試料槽１８内へ吹き出される。これにより、試料槽１８内に温度及び湿度が調整された空気が供給される。空調槽１９から試料槽１８内に空気を吹き出すことによって、試料槽１８内の空気は、吸込口から空調槽１９内に吸い込まれる。このように、空調槽１９と試料槽１８との間での空気の循環を繰り返すことで、試料槽１８内の空気環境として、試料槽１８内の空気の温度及び湿度が調整される。
【００３６】
開閉扉２は、図１のセクション（Ａ）に示す破線矢印方向に開閉する扉によって構成され、試料槽１８の開口部を開閉する。尚、開閉扉２は、これに限らず、上下方向にスライドすることで試料槽１８を開閉する構成であってもよいし、左右方向にスライドすることで試料槽１８を開閉する構成であってもよい。
【００３７】
また、図１のセクション（Ａ）及び（Ｃ）に示すように、開閉扉２の内面の左右方向の中央位置における上方、下方及び中央の位置には、其々、透明の耐久ガラス４１ａ及びカメラ４０ａが設けられている。カメラ４０ａは、耐久ガラス４１ａを介して試料槽１８内を前方から撮影する。
【００３８】
同様に、試料槽１８の右側壁の前後方向の中央位置における上方、下方及び中央の位置には、其々、透明の耐久ガラス４１ｂ及びカメラ４０ｂが設けられている。カメラ４０ｂは、耐久ガラス４１ｂを介して試料槽１８内を右方から撮影する。仕切壁１８９の左右方向の中央位置における上方、下方及び中央の位置には、其々、透明の耐久ガラス４１ｃ及びカメラ４０ｃが設けられている。カメラ４０ｃは、耐久ガラス４１ｃを介して試料槽１８内を後方から撮影する。尚、カメラ４０ｃは、不図示の断熱部材によって覆われ、空調槽１９内の空気環境から保護されている。試料槽１８の左側壁の前後方向の中央位置における上方、下方及び中央の位置には、透明の耐久ガラス４１ｄ及びカメラ４０ｄが設けられている。カメラ４０ｄは、耐久ガラス４１ｄを介して試料槽１８内を左方から撮影する。
【００３９】
尚、カメラ４０ａ〜４０ｄと耐久ガラス４１ａ〜４１ｄの数及び配置位置は、図１のセクション（Ａ）及び（Ｃ）に示す例とは異なっていてもよい。また、防曇のため、カメラ４０ａ〜４０ｄ及び／又は耐久ガラス４１ａ〜４１ｄに対して乾燥空気を付与する送風機構を設けてもよい。また、防曇（結露）又は着霜の防止のため、カメラ４０ａ〜４０ｄ及び／又は耐久ガラス４１ａ〜４１ｄを加温する加熱機構を設けてもよい。カメラ４０ａ〜４０ｄが撮影する画像は、静止画であってもよいし、動画であってもよい。
【００４０】
図１のセクション（Ａ）〜（Ｃ）に示すように、表示部６は、液晶ディスプレイによって構成され、開閉扉２の前方の外面に設けられている。表示部６は、開閉扉２の前方の外面と略同じ大きさの表示領域６１を有し、操作画面や操作を案内するための情報等を当該表示領域６１内に表示する。尚、表示領域６１の大きさは、開閉扉２の前方の外面と略同じ大きさに限らず、開閉扉２の前方の外面よりも小さくてもよい。
【００４１】
操作部７は、タッチパネル装置によって構成され、表示部６が有する表示領域６１上で、ユーザの指やペン等の指示体が触れた位置及び指示体が移動した軌跡に基づき、ユーザが行った各種操作を受け付ける。
【００４２】
画像センサー１３は、図１のセクション（Ｂ）に示すように、開閉扉２の前方の外面における上端部に設けられ、開閉扉２の周辺の画像（以降、周辺画像）を撮影する。尚、画像センサー１３の配置位置は、これに限らず、開閉扉２の前方の外面における表示領域６１外の位置であってもよい。
【００４３】
（環境試験装置１の電気的構成）
次に、環境試験装置１の電気的構成について説明する。図２は、環境試験装置１の電気的構成の一例を示すブロック図である。図２に示すように、環境試験装置１は、上記の画像センサー１３、表示部６及び操作部７に加え、空調部３、撮影部４、環境センサー５、記憶部８、制御部１０及びインターフェイス部９を備えている。
【００４４】
空調部３は、所定の試験条件に従い、試料槽１８内の空気環境を調整する。具体的には、空調部３は、加熱器、蒸発器及び加湿器及び送風機を備え、所定の試験条件に従い、試料槽１８内の空気の温度及び湿度を調整する。試験条件には、試料槽１８内の空気の温度の目標値（以降、目標温度）、試料槽１８内の空気の湿度の目標値（以降、目標湿度）、並びに、試料槽１８内の空気の温度及び湿度を目標温度及び目標湿度となるように調整する期間（以降、試験期間）等が含まれる。
【００４５】
加熱器は、空調槽１９内の空気を加熱することにより、空調槽１９内の空気の温度を上昇させる。蒸発器は、空調槽１９内の空気を冷却することにより、空調槽１９内の空気の温度を下降させ、また、空調槽１９内の空気の除湿を行う。加湿器は、空調槽１９内に蒸気を供給することにより、空調槽１９内の空気の加湿を行う。送風機は、所定の風速の風を生成する。送風機が生成した風により、加熱器、蒸発器及び加湿器によって温度及び湿度が調整された空気は、吹出口から試料槽１８内へ吹き出される。これにより、試料槽１８内の空気は、吸込口から空調槽１９内に吸い込まれる。このように、空調槽１９と試料槽１８との間での空気の循環を繰り返すことで、試料槽１８内の空気の温度及び湿度が調整される。
【００４６】
撮影部４は、上述のカメラ４０ａ〜４０ｄ及び耐久ガラス４１ａ〜４１ｄによって構成され、試料槽１８内を複数の方向から撮影し、当該撮影によって得られた画像を制御部１０へ出力する。
【００４７】
環境センサー５は、試料槽１８内の空気環境を検出する。具体的には、環境センサー５は、温度センサー及び湿度センサーによって構成され、試料槽１８内の空気の温度を温度センサーによって検出し、試料槽１８内の空気の湿度を湿度センサーによって検出する。
【００４８】
記憶部８は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記憶装置によって構成される。記憶部８は、制御部１０による制御の下、各種情報を記憶する。また、記憶部８には、表示部６に表示される操作画面を表す画像や、制御部１０による制御に用いられる各種情報等が予め記憶されている。
【００４９】
例えば、記憶部８には、表示部６に表示される操作画面である、観測窓画面Ｗ１及び計装画面Ｗ２を表す画像が記憶されている。図３は、観測窓画面Ｗ１及び計装画面Ｗ２の表示例を示す図である。図３に示すように、観測窓画面Ｗ１は、三個の表示欄Ａ１１、Ａ１２、Ａ１３によって構成されている。表示欄Ａ１１には、全領域表示キーＫａ及び非表示キーＫｃが含まれている。表示欄Ａ１２には、後述の表示制御部１０２によって、試料槽１８内の所定の観察領域を示す観察画像ＤＰが表示される。表示欄Ａ１３には、ズームインボタンＢＳ１、ズームアウトボタンＢＳ２、四個の領域指定ボタンＢＭ１〜ＢＭ４及び二個の視線変更ボタンＢＲ１、ＢＲ２が含まれている。
【００５０】
計装画面Ｗ２は、三個の表示欄Ａ２１、Ａ２２、Ａ２３によって構成されている。表示欄Ａ２１には、後述の表示制御部１０２によって、試験の状況（例えば、試験準備中）を示すメッセージＡ２１１等が表示される。表示欄Ａ２２には、後述の表示制御部１０２によって、観察画像ＤＰが示す観察領域に関連する関連情報として、環境センサー５によって検出された試料槽１８内の温度Ａ２２１（例えば、６８．３℃）及び湿度Ａ２２２（例えば、４７％ｒｈ）が表示される。表示欄Ａ２３には、試験条件の設定操作を行うための設定ボタンＢＳＴ等が含まれている。
【００５１】
図４は、記憶部８に予め記憶されている情報の一例を示す図である。図４に示すように、記憶部８には、環境試験装置１の使用が許可されたユーザ（以降、許可ユーザ）の識別情報（以降、ユーザ識別情報）（例えば、ｕｓｒ１）と、許可ユーザを表す画像データ（以降、認証画像）（例えば、ｉｍｇ１）と、許可ユーザのパスワード（例えば、＊＊＊＊＊）と、が予め対応付けて記憶されている。
【００５２】
また、後述するように、記憶部８には、制御部１０による制御の下、ユーザ識別情報と対応付けて、当該ユーザ識別情報に対応する許可ユーザが、表示部６に各操作画面を表示したときのレイアウト（以降、表示レイアウト）を示すレイアウト情報が記憶される。レイアウト情報には、表示部６に表示された各操作画面の識別情報（例えば、Ｗ１）、各操作画面の表示位置を示す座標（例えば、ｘ１１，ｙ１１（図３））及び各操作画面の幅及び高さを示す情報（例えば、ｈ１１，ｗ１１（図３））が含まれる。
【００５３】
制御部１０は、環境試験装置１が備える各部の制御を行う。具体的には、制御部１０は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）等の揮発性メモリー、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の不揮発性メモリー、現在時刻を計時するタイマー回路等を備えたマイクロコンピューターによって構成される。
【００５４】
制御部１０は、不揮発性メモリーに記憶された制御プログラムをＣＰＵに実行させることにより、認証部１０１（取得部）、表示制御部１０２及び実行部１０３として機能する。認証部１０１、表示制御部１０２及び実行部１０３の詳細については後述する。
【００５５】
インターフェイス部９は、制御部１０がＬＡＮ（Ｌｏｃａｌ  Ａｒｅａ  Ｎｅｔｗｏｒｋ）やインターネット等のネットワークを介してパソコン等の外部装置と通信するための不図示の通信インターフェイス回路を備えている。また、インターフェイス部９は、ＵＳＢ（Ｕｎｉｖｅｒｓａｌ  Ｓｅｒｉａｌ  Ｂｕｓ）メモリー等の外部記憶装置が着脱可能な不図示のコネクター及び制御部１０が当該コネクターに装着された外部記憶装置と通信するための不図示の外部インターフェイス回路を備えている。これにより、制御部１０は、インターフェイス部９を介して外部装置や外部記憶装置と通信を行うことができる。
【００５６】
尚、本発明に係る環境形成装置は、一以上の試料が収容された試料槽内の空気環境を調整可能な恒温恒湿装置又は熱処理装置（オーブン）等であってもよい。
【００５７】
（試験の動作フロー）
以下では、環境試験装置１における試料の試験の動作について説明する。図５は、環境試験装置１における試料の試験の動作を示すフローチャートである。尚、当該説明において、認証部１０１、表示制御部１０２及び実行部１０３の詳細について説明する。
【００５８】
図５に示すように、先ず、認証部１０１は、画像センサー１３によって撮影された周辺画像を用いて、開閉扉２の周辺にユーザが存在するか否かを認識する（ステップＳ１）。具体的には、ステップＳ１において、認証部１０１は、公知の画像認識処理を実行することにより、周辺画像に人物を表す画像が含まれていると判断した場合に、開閉扉２の周辺にユーザが存在すると認識する（ステップＳ１；ＹＥＳ）。この場合、認証部１０１は、当該認識したユーザが許可ユーザであるか否かを判断する（ステップＳ２）。
【００５９】
具体的には、ステップＳ２において、認証部１０１は、ステップＳ１で画像センサー１３によって撮影された周辺画像に含まれている人物を表す画像を、前記認識したユーザを表す画像（以降、ユーザ画像）として取得する。認証部１０１は、公知の画像認識処理を実行することにより、当該取得したユーザ画像から認識したユーザの特徴量と、記憶部８に予め記憶されている各認証画像から認識した各許可ユーザの特徴量と、を比較する。
【００６０】
認証部１０１は、当該比較の結果、前記認識したユーザの特徴量が、ある特定の認証画像から認識した許可ユーザの特徴量と略一致した場合、前記認識したユーザは、当該特定の認証画像に対応する許可ユーザであると判断する（ステップＳ２；ＹＥＳ）。尚、ユーザの特徴量が許可ユーザの特徴量と略一致するとは、ユーザの特徴量が許可ユーザの特徴量のうちの所定の割合（例えば、９割）以上の特徴量と一致することを示す。
【００６１】
一方、認証部１０１は、ステップＳ１において、周辺画像に人物を表す画像が含まれていないと判断した場合、開閉扉２の周辺にユーザが存在しないと認識し（ステップＳ１；ＮＯ）、処理をステップＳ１に戻す。その後は、ステップＳ１以降の処理が行われる。また、認証部１０１は、ステップＳ２において、前記認識したユーザが許可ユーザであると判断しなかった場合（ステップＳ２；ＮＯ）、処理をステップＳ１に戻す。その後は、ステップＳ１以降の処理が行われる。これらにより、開閉扉２の周辺に人物が存在しない場合や、環境試験装置１の使用が許可されていないユーザが開閉扉２の周辺に存在する場合に、ステップＳ３以降の処理が行われることを回避できる。
【００６２】
ステップＳ２において、ステップＳ１で認識されたユーザが許可ユーザであると判断された場合（ステップＳ２；ＹＥＳ）、認証部１０１は、記憶部８から、前記特定の認証画像に対応付けられているユーザ識別情報を取得する（ステップＳ３）。
【００６３】
そして、表示制御部１０２は、記憶部８から、ステップＳ３で取得されたユーザ識別情報に対応付けられているレイアウト情報を取得する（ステップＳ４）。表示制御部１０２は、記憶部８からレイアウト情報を取得できた場合（ステップＳ４；ＹＥＳ）、処理をステップＳ６に移行し、レイアウト情報を取得できなかった場合（ステップＳ４；ＮＯ）、処理をステップＳ５に移行する。ステップＳ５では、表示制御部１０２は、各操作画面の表示レイアウトを所定の初期表示レイアウトに設定し（ステップＳ５）、処理をステップＳ６に移行する。初期表示レイアウトは、前記不揮発性メモリー又は記憶部８に予め記憶されている。
【００６４】
ステップＳ６では、表示制御部１０２は、撮影部４に試料槽１８内の撮影を開始させ、また、環境センサー５に試料槽１８内の空気の温度及び湿度の検出を開始させる（ステップＳ６）。
【００６５】
次に、表示制御部１０２は、ステップＳ５で設定された初期表示レイアウト又はステップＳ４で取得された表示レイアウトで、観測窓画面Ｗ１及び計装画面Ｗ２を表示領域６１内に表示する（ステップＳ７）。
【００６６】
例えば、ステップＳ５で設定された初期表示レイアウト、又は、ステップＳ４で取得された表示レイアウトが、図４に示す、ユーザ識別情報「ｕｓｒ１」に対応付けられたレイアウト情報「Ｗ１：（ｘ１１，ｙ１１，ｈ１１，ｗ１１）、Ｗ２：（ｘ１２，ｙ１２，ｈ１２，ｗ１２）」が示す表示レイアウトであるとする。
【００６７】
図６は、試験開始前の観測窓画面Ｗ１及び計装画面Ｗ２の表示例を示す図である。この場合、ステップＳ７において、表示制御部１０２は、レイアウト情報「Ｗ１：（ｘ１１，ｙ１１，ｈ１１，ｗ１１）」が示す表示レイアウトに従い、図６に示すように、表示領域６１内における座標（ｘ１１、ｙ１１）の位置に、ユーザー識別情報「ｕｓｒ１」によって識別される操作画面である観測窓画面Ｗ１を表示する。また、表示制御部１０２は、当該表示した観測窓画面Ｗ１の高さを「ｈ１１」に調整し、幅を「ｗ１１」に調整する。これと同様にして、表示制御部１０２は、レイアウト情報「Ｗ２：（ｘ１２，ｙ１２，ｈ１２，ｗ１２）」が示す表示レイアウトに従い、表示領域６１内における座標（ｘ１２、ｙ１２）の位置に、ユーザー識別情報「ｕｓｒ１」によって識別される操作画面である計装画面Ｗ２を表示し、当該計装画面Ｗ２の高さを「ｈ１２」に調整し、幅を「ｗ１２」に調整する。
【００６８】
そして、表示制御部１０２は、公知の画像抽出処理を行うことにより、撮影部４によって撮影された画像から、試料槽１８内の所定の観察領域を示す観察画像ＤＰを抽出し、当該抽出した観察画像ＤＰを表示欄Ａ１２に表示する。観察領域の初期値は、例えば、開閉扉２における表示欄Ａ１２に対応する領域が中空部であるとした場合に、ユーザが正面から当該中空部を介して試料槽１８内を見た時に視認される領域に定められている。
【００６９】
また、表示制御部１０２は、表示欄Ａ２２に、観察画像ＤＰが示す観察領域に関連する関連情報として、環境センサー５によって検出された試料槽１８内の温度Ａ２２１（例えば、６８．３℃）及び湿度Ａ２２２（例えば、４７％ｒｈ）を表示する。これにより、ユーザは、観察領域を示す観察画像ＤＰだけでなく、当該観察領域に関連する試料槽１８内の温度Ａ２２１及び湿度Ａ２２２も視認することができる。このため、ユーザは、試料槽１８内における観察領域の状況をより詳細に把握することができる。
【００７０】
このように、ユーザにとって視認性のよい観察画像ＤＰの表示レイアウトを示すレイアウト情報を、当該ユーザのユーザ識別情報と対応付けて記憶部８に記憶しておくことで、当該ユーザは、自身にとって視認性のよい表示レイアウトで表示された観測窓画面Ｗ１及び計装画面Ｗ２を視認することができる。これにより、当該ユーザは、観測窓画面Ｗ１の表示欄Ａ１２に表示された観察画像ＤＰが示す観察領域の状況や、計装画面Ｗ２に表示された当該観察領域に関連する試料槽１８内の空気の温度及び湿度をより適切に把握することができる。
【００７１】
ステップＳ７の後、ユーザが、開閉扉２を開き、試料棚を試料槽１８内の支持部材に支持させ、一以上の試料を当該試料棚に載置したとする。そして、ユーザが設定ボタンＢＳＴを押下する等して、所定の試験条件の設定操作及び所定の試験の開始操作を行い、これらの操作が操作部７によって受け付けられたとする。この場合、実行部１０３は、当該受け付けられた試験条件に従って試料の試験を開始する。具体的には、実行部１０３は、操作部７によって受け付けられた試験条件に従い、試料槽１８内の空気の温度及び湿度を調整するように、空調部３を制御する。
【００７２】
実行部１０３によって試験が開始されると（ステップＳ８；ＹＥＳ）、表示制御部１０２は、試験の状況を、表示部６に表示された観測窓画面Ｗ１及び計装画面Ｗ２に反映する（ステップＳ９）。
【００７３】
図７は、試験開始後の観測窓画面Ｗ１及び計装画面Ｗ２の表示例を示す図である。具体的には、ステップＳ９において、表示制御部１０２は、公知の画像抽出処理を行うことにより、図７に示すように、撮影部４によって直近に撮影された画像から、観察領域を示す観察画像ＤＰを抽出し、当該抽出した観察画像ＤＰを表示欄Ａ１２に表示する。
【００７４】
また、ステップＳ９において、表示制御部１０２は、図７に示すように、計装画面Ｗ２の表示欄Ａ２１に表示されている、試験の状況を示すメッセージＡ２１１を、試験中であることを示すメッセージ（例えば、プログラム運転中）に更新する。表示制御部１０２は、計装画面Ｗ２の表示欄Ａ２２に、試験条件に含まれる目標温度Ａ２２３（例えば、８５．０℃）及び目標湿度Ａ２２４（例えば、８５％ｒｈ）と、環境センサー５により直近に検出された試料槽１８内の温度Ａ２２１（例えば、６８．３℃）及び湿度Ａ２２２（例えば、４７％ｒｈ）と、を表示する。また、表示制御部１０２は、表示欄Ａ２２に設けられたグラフ領域Ａ２２５に、環境センサー５により検出された試料槽１８内の温度及び湿度を時系列に表示する。
【００７５】
ステップＳ９の後、及び、実行部１０３によって試験が開始されていない場合に（ステップＳ８；ＮＯ）、ユーザが、表示領域６１上で指やペン等の指示体を用いて行った操作が操作部７によって受け付けられたとする（ステップＳ１０；ＹＥＳ）。この場合、実行部１０３は、ステップＳ１０で受け付けられた操作に対応する処理を実行する（ステップＳ１１）。ステップＳ１０及びステップＳ１１の詳細については後述する。
【００７６】
ステップＳ１１の終了後、実行部１０３は、試験を終了するか否かを判断する（ステップＳ１２）。また、操作部７によって操作が受け付けられていない場合にも（ステップＳ１０；ＮＯ）、実行部１０３は、ステップＳ１２の判断を行う。具体的には、ステップ８で試験を開始している場合には、ステップＳ１２において、実行部１０３は、ユーザによって所定の試験終了の操作が行われ、当該操作が操作部７によって受け付けられたとき、又は、試験条件において設定された試験時間が経過したときに、試験を終了すると判断する。一方、ステップ８で試験を開始していない場合には、ステップＳ１２において、実行部１０３は、試験を終了しない（終了できない）と判断する。
【００７７】
ステップＳ１２において、実行部１０３が、試験を終了しない（終了できない）と判断した場合（ステップＳ１２；ＮＯ）、ステップＳ８以降の処理を繰り返させる。一方、実行部１０３が、ステップＳ１２において、試験を終了すると判断した場合（ステップＳ１２；ＹＥＳ）、所定の試験の終了処理を実行する（ステップＳ１３）。これにより、環境試験装置１における試料の試験の動作は終了する。
【００７８】
例えば、ステップＳ１３において、実行部１０３は、観測窓画面Ｗ１及び計装画面Ｗ２を非表示にする。尚、ステップＳ１３において、実行部１０３は、記憶部８において、ステップＳ３で取得したユーザ識別情報と対応付けて記憶されているレイアウト情報を、現在表示領域６１に表示されている観測窓画面Ｗ１及び計装画面Ｗ２の表示レイアウトを示すレイアウト情報に更新後、観測窓画面Ｗ１及び計装画面Ｗ２を非表示にしてもよい。また、ステップＳ１３において、実行部１０３は、記憶部８において、ステップＳ３で取得したユーザ識別情報と対応付けて記憶されているレイアウト情報が存在しない場合は、現在表示領域６１に表示されている観測窓画面Ｗ１及び計装画面Ｗ２の表示レイアウトを示すレイアウト情報を、ステップＳ３で取得したユーザ識別情報と対応付けて記憶部８に記憶してもよい。
【００７９】
以下、ステップＳ１１で行われる、ステップＳ１０で受け付けられた操作に対応する処理について図８乃至図１４を用いて説明する。
【００８０】
（処理例１）
図７に示すように、観測窓画面Ｗ１が表示されている場合に、ユーザによって全領域表示キーＫａのタッチ操作が行われたとする。この場合、ステップＳ１０において、操作部７は、試料槽１８内全体を観察領域に指定する操作（第四操作）を受け付ける。この場合、表示制御部１０２は、ステップＳ１１において、当該操作に対応する処理を実行する。
【００８１】
図８は、観察領域を試料槽１８内の全域に変更したときの観測窓画面Ｗ１及び計装画面Ｗ２の表示例を示す図である。具体的には、図８に示すように、表示制御部１０２は、表示欄Ａ１１に表示されていた全領域表示キーＫａに代えて初期領域表示キーＫｓを表示する。表示制御部１０２は、観測窓画面Ｗ１に表示していた観察画像ＤＰが表す観察領域に代えて、試料槽１８内全体を観察領域として再設定する。そして、表示制御部１０２は、公知の画像抽出処理を行うことにより、撮影部４によって撮影された画像から、当該再設定した観察領域を表す観察画像ＤＰａを抽出する。そして、表示制御部１０２は、表示欄Ａ１２を、当該抽出した観察画像ＤＰａを表示可能な大きさに拡大し、当該抽出した観察画像ＤＰａを当該拡大後の表示欄Ａ１２ａに表示する。また、表示制御部１０２は、表示欄Ａ１３に表示していた領域指定ボタンＢＭ１〜ＢＭ４を非表示にする。
【００８２】
本処理例によれば、ユーザは、全領域表示キーＫａのタッチ操作を行うことにより、試料槽１８内全体を示す観察画像ＤＰａを表示領域６１内に表示することができる。これにより、ユーザは、試料槽１８内全体の状況を一目で観察することができる。
【００８３】
（処理例２）
図８に示す観測窓画面Ｗ１が表示されている場合に、ユーザによって初期領域表示キーＫｓのタッチ操作が行われた場合、ステップＳ１０において、操作部７は、観察領域を初期値に指定する操作を受け付ける。この場合、表示制御部１０２は、ステップＳ１１において、当該操作に対応する処理を実行する。
【００８４】
具体的には、図７に示すように、表示制御部１０２は、表示欄Ａ１１に表示されていた初期領域表示キーＫｓに代えて、全領域表示キーＫａを表示する。表示制御部１０２は、観察領域を観察領域の初期値に再設定し、公知の画像抽出処理を行うことにより、撮影部４によって撮影された画像から、当該再設定した観察領域を示す観察画像ＤＰを抽出する。そして、表示制御部１０２は、表示欄Ａ１２ａを、当該抽出した観察画像ＤＰを表示可能な大きさに縮小し、当該抽出した観察画像ＤＰを当該縮小後の表示欄Ａ１２に表示する。また、表示制御部１０２は、表示欄Ａ１３に領域指定ボタンＢＭ１〜ＢＭ４を表示する。
【００８５】
（処理例３）
観測窓画面Ｗ１が表示されている場合に、ユーザによって非表示キーＫｃのタッチ操作が行われた場合、ステップＳ１０において、操作部７は、観察画像ＤＰを非表示にする操作（第五操作）を受け付ける。
【００８６】
図９は、観察画像ＤＰを非表示にした観測窓画面Ｗ１の表示例を示す図である。この場合、表示制御部１０２は、ステップＳ１１において、観察画像ＤＰを非表示にする操作に対応する処理を実行する。具体的には、図９に示すように、表示制御部１０２は、表示欄Ａ１１に、再表示キーＫｒを表示する。そして、表示制御部１０２は、表示欄Ａ１２又は表示欄Ａ１２ａと表示欄Ａ１３とを非表示にし、表示欄Ａ１１のみ表示する。これにより、表示制御部１０２は、観測窓画面Ｗ１に表示されていた観察画像ＤＰを非表示にする。
【００８７】
本処理例によれば、ユーザは、非表示キーＫｃのタッチ操作を行うことにより、観察画像ＤＰを非表示にすることができる。これにより、環境試験装置１の前に訪れた第三者に観察画像ＤＰが視認され、当該観察画像ＤＰが示す観察領域の状況が把握されることを、迅速に回避することができる。
【００８８】
尚、図９に示す観測窓画面Ｗ１が表示されている場合に、ユーザによって再表示キーＫｒのタッチ操作が行われた場合、ステップＳ１０において、操作部７は、観察画像ＤＰを再表示する操作を受け付ける。この場合、表示制御部１０２は、ステップＳ１１において、当該操作に対応する処理として、例えば図７又は図８に示すように、観察画像ＤＰを非表示にする操作に対応する処理の実行前に表示していた表示レイアウトで、観測窓画面Ｗ１を表示領域６１内に再表示する。
【００８９】
（処理例４）
また、図７に示すように、観測窓画面Ｗ１が表示されている場合に、ユーザによって表示欄Ａ１３に含まれる四個の領域指定ボタンＢＭ１〜ＢＭ４のうちの何れかのボタンのタッチ操作が行われたとする。この場合、ステップＳ１０において、操作部７は、当該タッチ操作された領域指定ボタンＢＭ１〜ＢＭ４に対応する方向に観察領域を移動する操作（以降、領域移動操作）を受け付ける。尚、領域指定ボタンＢＭ１に対応する方向は左方向、領域指定ボタンＢＭ２に対応する方向は右方向、領域指定ボタンＢＭ３に対応する方向は上方向、領域指定ボタンＢＭ４に対応する方向は下方向に定められている。
【００９０】
この場合、表示制御部１０２は、ステップＳ１１において、領域移動操作に対応する処理を実行する。例えば、図７に示すように、観測窓画面Ｗ１が表示されている場合に、ユーザによって表示欄Ａ１３に含まれる領域指定ボタンＢＭ１が押下されたとする。この場合、表示制御部１０２は、図７に示す観測窓画面Ｗ１に表示していた観察画像ＤＰが表す観察領域を、領域指定ボタンＢＭ１に対応する左方向に所定距離移動させた領域を、観察領域として再設定する。そして、表示制御部１０２は、公知の画像抽出処理を行うことにより、撮影部４によって撮影された画像から、当該再設定した観察領域を示す観察画像を抽出する。そして、表示制御部１０２は、表示欄Ａ１２に、当該抽出した観察画像を表示する。
【００９１】
図１０は、観察領域を移動させたときの観測窓画面Ｗ１及び計装画面Ｗ２の表示例を示す図である。例えば、図７に示すように、観測窓画面Ｗ１が表示されている場合に、ユーザによって表示欄Ａ１３に含まれる領域指定ボタンＢＭ１が押下されたことにより、領域移動操作に対応する処理が実行され、その後、領域指定ボタンＢＭ３が押下されたことにより、領域移動操作に対応する処理が実行されたとする。この場合、図１０に示すように、表示欄Ａ１２には、図７に示す観測窓画面Ｗ１に表示していた観察画像ＤＰが表す観察領域を、領域指定ボタンＢＭ１に対応する左方向に所定距離移動させ、且つ、領域指定ボタンＢＭ３に対応する上方向に所定距離移動させた領域が観察領域として再設定され、当該再設定された観察領域を示す観察画像ＤＰｂが表示される。
【００９２】
本処理例によれば、ユーザによって四個の領域指定ボタンＢＭ１〜ＢＭ４のうちの何れかのボタンのタッチ操作が行われると、当該タッチ操作された領域指定ボタンＢＭ１〜ＢＭ４に対応する方向に観察領域が移動される。そして、開閉扉２が閉められた状態で、当該移動後の観察領域を示す観察画像ＤＰが、開閉扉２の外面に設けられた表示部６が有する表示領域６１内に表示される。このため、ユーザは、開閉扉２が閉められた状態でも、当該表示されている観察画像ＤＰを視認することで、試料槽１８内における所望の観察領域を観察することができる。
【００９３】
（処理例５）
観測窓画面Ｗ１が表示されている場合に、ユーザによって表示欄Ａ１３に含まれる視線変更ボタンＢＲ１、ＢＲ２のうちの何れかのボタンのタッチ操作が行われたとする。この場合、ステップＳ１０において、操作部７は、観察領域を観察するときの視線を、当該タッチ操作された視線変更ボタンＢＲ１、ＢＲ２に対応する方向に移動した視線を、観察領域を観察するときの新たな視線として指定する操作（第一操作）を受け付ける。この場合、表示制御部１０２は、ステップＳ１１において、当該操作に対応する処理を実行する。尚、視線変更ボタンＢＲ１に対応する方向は右方向、視線変更ボタンＢＲ２に対応する方向は左方向に定められている。
【００９４】
図１１は、視線を移動させたときの観測窓画面の表示例を示す図である。例えば、図１１のセクション（Ａ）に示すように、観測窓画面Ｗ１において、観察領域をある視線（第一視線）で観察したときに見られる観察画像ＤＰ１が表示されている場合に、ユーザによって視線変更ボタンＢＲ２が押下されたとする。この場合、表示制御部１０２は、視線変更ボタンＢＲ２に対応する左方向に第一視線を所定角度回転させたときの視線を、観察領域を観察するときの新たな視線として再設定する。そして、図１１のセクション（Ｂ）に示すように、表示制御部１０２は、公知の画像抽出処理を行うことにより、撮影部４によって撮影された画像から、当該再設定した新たな視線で観察領域を観察したときに見られる画像ＤＰ２を観察画像として抽出する。そして、表示制御部１０２は、表示欄Ａ１２に、当該抽出した観察画像ＤＰ２を表示する。
【００９５】
例えば、図１１のセクション（Ｃ）に示すように、観測窓画面Ｗ１において、観察領域を別のある視線（第二視線）で観察したときに見られる観察画像ＤＰ３が表示されている場合に、ユーザによって視線変更ボタンＢＲ１が押下されたとする。この場合、表示制御部１０２は、視線変更ボタンＢＲ１に対応する右方向に第二視線を所定角度回転させたときの視線を、観察領域を観察するときの新たな視線として再設定する。そして、図１１のセクション（Ｄ）に示すように、表示制御部１０２は、公知の画像抽出処理を行うことにより、撮影部４によって撮影された画像から、当該再設定した新たな視線で観察領域を観察したときに見られる画像ＤＰ４を観察画像として抽出する。そして、表示制御部１０２は、表示欄Ａ１２に、当該抽出した観察画像ＤＰ４を表示する。
【００９６】
本処理例によれば、ユーザは、開閉扉２が閉められた状態でも、表示部６が有する表示領域内に表示されている観察画像ＤＰを視認することで、試料槽１８内における所望の観察領域を所望の視線で観察することができる。
【００９７】
（処理例６）
観測窓画面Ｗ１が表示されている場合に、ユーザによって表示欄Ａ１３に含まれるズームインボタンＢＳ１のタッチ操作が行われたとする。この場合、ステップＳ１０において、操作部７は、観察領域にズームインする操作（第二操作）を受け付ける。この場合、表示制御部１０２は、ステップＳ１１において、当該操作に対応する処理を実行する。
【００９８】
図１２は、観察領域にズームインしたとき及び観察領域からズームアウトしたときの観測窓画面Ｗ１の表示例を示す図である。例えば、図１２のセクション（Ａ）に示すように、観測窓画面Ｗ１において観察画像ＤＰ５が表示されている場合に、ユーザによってズームインボタンＢＳ１が押下されたとする。この場合、表示制御部１０２は、図１２のセクション（Ｂ）に示すように、公知の画像抽出処理及び画像のズームイン処理を行うことにより、撮影部４によって撮影された画像から、観察画像ＤＰ５が表す観察領域に所定距離だけズームインした画像ＤＰ６を観察画像として抽出する。そして、表示制御部１０２は、表示欄Ａ１２に、当該抽出した観察画像ＤＰ６を表示する。
【００９９】
ここで、更に、操作部７が観察領域にズームインする操作を受け付けた場合、図１２のセクション（Ｃ）に示すように、ステップＳ１１において、観察画像ＤＰ６が表す観察領域に所定距離だけズームインした画像ＤＰ７が観察画像として抽出され、表示欄Ａ１２に、当該抽出された観察画像ＤＰ７が表示される。更に、操作部７が観察領域にズームインする操作を受け付けた場合、図１２のセクション（Ｄ）に示すように、ステップＳ１１において、観察画像ＤＰ７が表す観察領域に所定距離だけズームインした画像ＤＰ８が観察画像として抽出され、表示欄Ａ１２に、当該抽出された観察画像ＤＰ８が表示される。
【０１００】
本処理例によれば、ユーザは、ズームインボタンＢＳ１のタッチ操作を行うことにより、観察領域にズームインした画像を観察画像ＤＰとして表示部６が有する表示領域６１内に表示することができる。これにより、ユーザは、観察領域をより詳細に観察することができる。
【０１０１】
（処理例７）
観測窓画面Ｗ１が表示されている場合に、ユーザによって表示欄Ａ１３に含まれるズームアウトボタンＢＳ２のタッチ操作が行われたとする。この場合、ステップＳ１０において、操作部７は、観察領域からズームアウトする操作（第三操作）を受け付ける。この場合、表示制御部１０２は、ステップＳ１１において、当該操作に対応する処理を実行する。
【０１０２】
例えば、図１２のセクション（Ｄ）に示すように、観測窓画面Ｗ１において観察画像ＤＰ８が表示されている場合に、ユーザによってズームアウトボタンＢＳ２が押下されたとする。この場合、表示制御部１０２は、図１２のセクション（Ｃ）に示すように、公知の画像抽出処理及び画像のズームアウト処理を行うことにより、撮影部４によって撮影された画像から、観察画像ＤＰ８が表す観察領域から所定距離だけズームアウトした画像ＤＰ７を観察画像として抽出する。そして、表示制御部１０２は、表示欄Ａ１２に、当該抽出した観察画像ＤＰ７を表示する。
【０１０３】
ここで、更に、操作部７が観察領域からズームアウトする操作を受け付けた場合、図１２のセクション（Ｂ）に示すように、ステップＳ１１において、観察画像ＤＰ７が表す観察領域から所定距離だけズームアウトした画像ＤＰ６が観察画像として抽出され、表示欄Ａ１２に、当該抽出された観察画像ＤＰ６が表示される。更に、操作部７が観察領域からズームアウトする操作を受け付けた場合、図１２のセクション（Ａ）に示すように、ステップＳ１１において、観察画像ＤＰ６が表す観察領域から所定距離だけズームアウトした画像ＤＰ５が観察画像として抽出され、表示欄Ａ１２に、当該抽出された観察画像ＤＰ５が表示される。
【０１０４】
本処理例によれば、ユーザは、ズームアウトボタンＢＳ２のタッチ操作を行うことにより、観察領域からズームアウトした画像を観察画像として表示部６が有する表示領域６１内に表示することができる。これにより、ユーザは、観察領域をより俯瞰して観察することができる。
【０１０５】
（処理例８）
ユーザによって観測窓画面Ｗ１上でピンチ操作が行われた場合、ステップＳ１０において、操作部７は、観測窓画面Ｗ１をピンチ操作に応じて拡大又は縮小して表示する操作（第六操作）を受け付ける。この場合、表示制御部１０２は、ステップＳ１１において、当該操作に対応する処理を実行する。同様に、ユーザによって計装画面Ｗ２上でピンチ操作が行われた場合、ステップＳ１０において、操作部７は、計装画面Ｗ２をピンチ操作に応じて拡大又は縮小して表示する操作を受け付ける。この場合、表示制御部１０２は、ステップＳ１１において、当該操作に対応する処理を実行する。
【０１０６】
例えば、図７に示すように、表示領域６１内に観測窓画面Ｗ１及び計装画面Ｗ２が表示されているとする。この場合に、ユーザによって、観測窓画面Ｗ１上に触れた二個の指示体間の距離を所定距離広げるピンチ操作が行われたとする。この場合、操作部７は、ステップＳ１０において、観測窓画面Ｗ１を所定の拡大率で拡大して表示する操作を受け付ける。
【０１０７】
図１３は、拡大して表示された観測窓画面Ｗ１の表示例を示す図である。この場合、表示制御部１０２は、ステップＳ１１において、図１３に示すように、観測窓画面Ｗ１を所定の拡大率で拡大して表示する。これにより、表示制御部１０２は、表示欄Ａ１２に表示されている観察画像ＤＰを所定の拡大率で拡大して表示する。同様に、ユーザによって、計装画面Ｗ２上に触れた二個の指示体間の距離を所定距離広げるピンチ操作が行われたとする。この場合、操作部７は、ステップＳ１０において、計装画面Ｗ２を所定の拡大率で拡大して表示する操作を受け付け、表示制御部１０２は、ステップＳ１１において、計装画面Ｗ２を所定の拡大率で拡大して表示する。
【０１０８】
一方、図１３に示すように、表示領域６１内に観測窓画面Ｗ１及び計装画面Ｗ２が表示されているとする。この場合に、ユーザによって、観測窓画面Ｗ１上に触れた二個の指示体間の距離を所定距離縮めるピンチ操作が行われたとする。この場合、操作部７は、ステップＳ１０において、観測窓画面Ｗ１を所定の縮小率で縮小して表示する操作を受け付け、表示制御部１０２は、ステップＳ１１において、図７に示すように、観測窓画面Ｗ１を所定の縮小率で縮小して表示する。同様に、ユーザによって、計装画面Ｗ２上に触れた二個の指示体間の距離を所定距離縮めるピンチ操作が行われた場合、操作部７は、ステップＳ１０において、計装画面Ｗ２を所定の縮小率で縮小して表示する操作を受け付け、表示制御部１０２は、ステップＳ１１において、計装画面Ｗ２を所定の縮小率で縮小して表示する。
【０１０９】
本処理例によれば、ユーザは、観測窓画面Ｗ１及び計装画面Ｗ２上でピンチ操作を行うことにより、観測窓画面Ｗ１及び計装画面Ｗ２の大きさを視認し易い大きさに変更させることができる。
【０１１０】
尚、ユーザによって、観測窓画面Ｗ１（又は計装画面Ｗ２）に触れた二個の指示体間の距離を所定距離広げるピンチ操作とは異なる所定の操作（例えば、観測窓画面Ｗ１（又は計装画面Ｗ２）上でダブルタップ操作）が行われた場合に、操作部７が観測窓画面Ｗ１（又は計装画面Ｗ２）を所定の拡大率で拡大して表示する操作を受け付けるようにしてもよい。
【０１１１】
同様に、ユーザによって、観測窓画面Ｗ１（又は計装画面Ｗ２）に触れた二個の指示体間の距離を所定距離縮めるピンチ操作とは異なる所定の操作（例えば、拡大して表示された観測窓画面Ｗ１（又は計装画面Ｗ２）上でダブルタップ操作）が行われた場合に、操作部７が観測窓画面Ｗ１（又は計装画面Ｗ２）を所定の縮小率で縮小して表示する操作を受け付けるようにしてもよい。
【０１１２】
（処理例９）
ユーザによって観測窓画面Ｗ１上でスワイプ操作が行われた場合、ステップＳ１０において、操作部７は、観測窓画面Ｗ１の表示位置を当該スワイプ操作に応じて変更する操作（第七操作）を受け付ける。この場合、表示制御部１０２は、ステップＳ１１において、当該操作に対応する処理を実行する。同様に、ユーザによって計装画面Ｗ２上でスワイプ操作が行われた場合、ステップＳ１０において、操作部７は、計装画面Ｗ２の表示位置を当該スワイプ操作に応じて変更する操作を受け付ける。この場合、表示制御部１０２は、ステップＳ１１において、当該操作に対応する処理を実行する。
【０１１３】
図１４は、表示位置が変更された観測窓画面Ｗ１ａの表示例を示す図である。例えば、図１４に示すように、表示領域６１内における破線部に示す位置に観測窓画面Ｗ１が表示されているとする。この場合に、ユーザによって、観測窓画面Ｗ１上に触れた指示体を破線矢印に示すように移動させるスワイプ操作が行われたとする。この場合、操作部７は、ステップＳ１０において、観測窓画面Ｗ１の表示位置を当該スワイプ操作によって指示体を移動させた方向及び距離分だけ変更する操作を受け付ける。
【０１１４】
この場合、表示制御部１０２は、ステップＳ１１において、観測窓画面Ｗ１の表示位置を、当該スワイプ操作によって指示体を移動させた方向及び距離分だけ移動させる。これにより、当該移動後の表示位置に観測窓画面Ｗ１ａが表示される。
【０１１５】
同様に、ユーザによって、計装画面Ｗ２上に触れた指示体を移動させるスワイプ操作が行われたとする。この場合、操作部７は、ステップＳ１０において、計装画面Ｗ２の表示位置を当該スワイプ操作によって指示体を移動させた方向及び距離分だけ変更する操作を受け付ける。表示制御部１０２は、ステップＳ１１において、計装画面Ｗ２の表示位置を当該スワイプ操作によって指示体を移動させた方向及び距離分だけ変更する。
【０１１６】
本処理例によれば、ユーザは、観測窓画面Ｗ１及び計装画面Ｗ２上に触れた指示体を移動させるスワイプ操作を行うことにより、観測窓画面Ｗ１及び計装画面Ｗ２の表示位置を視認し易い位置に変更させることができる。
【０１１７】
尚、ユーザによって、観測窓画面Ｗ１（又は計装画面Ｗ２）に触れた指示体を移動させるスワイプ操作とは異なる所定の操作（例えば、観測窓画面Ｗ１（又は計装画面Ｗ２）の近傍の領域でダブルタップ操作）が行われた場合に、操作部７が観測窓画面Ｗ１（又は計装画面Ｗ２）の表示位置を変更する操作（例えば、当該所定の操作（例えば、当該ダブルタップ操作）が行われた位置に変更する操作）を受け付けるようにしてもよい。
【０１１８】
（変形実施形態）
尚、上記実施形態は、本発明に係る実施形態の例示に過ぎず、本発明を上記実施形態に限定する趣旨ではない。例えば、以下に示す変形実施形態であってもよい。
【０１１９】
（１）操作部７が、更に、観測窓画面Ｗ１に表示された観察画像ＤＰが示す観察領域に関連する関連情報の入力操作を受け付けるようにしてもよい。これに合わせて、表示制御部１０２が、操作部７によって受け付けられた関連情報を、表示部６が有する表示領域６１内に表示するようにしてもよい。
【０１２０】
具体的には、以下のように、操作部７及び表示制御部１０２を構成すればよい。ユーザによって、表示領域６１内における観測窓画面Ｗ１及び計装画面Ｗ２が表示されていない領域内の位置（以降、タッチ位置）でタッチ操作が行われた場合、操作部７がステップＳ１０において当該タッチ操作を受け付けるようにすればよい。この場合、表示制御部１０２が、ステップＳ１１において、当該タッチ操作に対応する処理として、表示領域６１内に不図示のメニュー画面を表示するようにすればよい。
【０１２１】
当該メニュー画面には、観測窓画面Ｗ１に表示された観察画像ＤＰが示す観察領域に関連する関連情報の入力操作を行うための操作画面を表示するメニューを含めればよい。ここで、ユーザによって、当該メニュー画面に含まれる、関連情報の入力操作を行うための操作画面を表示するメニューがタッチ操作されたとする。この場合、操作部７が、ステップＳ１０において当該タッチ操作を受け付け、表示制御部１０２が、ステップＳ１１において、当該タッチ操作に対応する処理として、表示領域６１内に関連情報の入力操作を行うための操作画面を表示するようにすればよい。
【０１２２】
図１５は、入力された関連情報ＭＳＧ１の表示例を示す図である。その後、ユーザによって当該操作画面を用いて関連情報が入力されると、操作部７が、ステップＳ１０において当該関連情報の入力操作を受け付け、表示制御部１０２が、図１５に示すように、操作部７が受け付けた関連情報ＭＳＧ１を前記タッチ位置に表示するようにすればよい。
【０１２３】
尚、表示制御部１０２が、更に、ユーザによって入力され且つ表示された関連情報を、ステップＳ８で開始された試験の識別情報と対応付けて記憶部８に記憶するようにしてもよい。試験の識別情報には、例えば、試験の実施日時、当該試験を行う一以上の許可ユーザのユーザ識別情報等を含めればよい。
【０１２４】
これに合わせて、ステップＳ４において、表示制御部１０２が、記憶部８からレイアウト情報を取得するだけでなく、更に、ステップＳ３で取得された許可ユーザのユーザ識別情報を含む試験の識別情報に対応付けられた関連情報を記憶部８から取得するようにしてもよい。そして、表示制御部１０２が、ステップＳ７において、記憶部８から取得した関連情報を表示領域６１内に表示するようにしてもよい。
【０１２５】
この場合、関連情報を入力した第一の許可ユーザと同じ観察領域の観察を行う、第一の許可ユーザとは異なる第二の許可ユーザが開閉扉２の周辺に訪れたときに、第一の許可ユーザが入力した関連情報を視認することができる。このため、第一の許可ユーザが、観察領域の観察中に気付いた事項等を関連情報として入力操作しておくことで、第二の許可ユーザに当該観察領域に関連する関連情報を伝達することができる。
【０１２６】
（２）図１６に示すように、表示制御部１０２が、更に、現在表示されている観測窓画面Ｗ１と並べて、過去に撮影した一以上の観察画像ＤＰｈを表示する履歴観測窓画面Ｗ３を、表示部６が有する表示領域６１内に表示するようにしてもよい。図１６は、履歴観測窓画面Ｗ３の表示例を示す図である。
【０１２７】
例えば、以下のように、操作部７及び表示制御部１０２を構成すればよい。ステップＳ６において、表示制御部１０２が、撮影部４に試料槽１８内の撮影を開始させた後、定期的に、撮影部４によって撮影された画像（以降、撮影画像）を記憶部８に順次記憶するようにすればよい。そして、ユーザによって、表示領域６１内における観測窓画面Ｗ１及び計装画面Ｗ２が表示されていない領域内でタッチ操作が行われた場合、操作部７が、ステップＳ１０において当該タッチ操作を受け付けるようにすればよい。この場合、表示制御部１０２が、ステップＳ１１において、当該タッチ操作に対応する処理として、表示領域６１内に不図示のメニュー画面を表示するようにすればよい。
【０１２８】
当該メニュー画面には、履歴観測窓画面Ｗ３を表示するメニューを含めればよい。ここで、ユーザによって、当該メニュー画面に含まれる、履歴観測窓画面Ｗ３を表示するメニューがタッチ操作されたとする。この場合、操作部７が、ステップＳ１０において当該タッチ操作を受け付けるようにすればよい。そして、この場合、表示制御部１０２が、ステップＳ１１において、図１６に示すように、現在表示されている観測窓画面Ｗ１と並べて履歴観測窓画面Ｗ３を表示するようにすればよい。
【０１２９】
尚、ユーザによって、表示領域６１内における観測窓画面Ｗ１及び計装画面Ｗ２が表示されていない領域内でタッチ操作等の所定の操作が行われた場合に、操作部７が当該所定の操作を受け付け、表示制御部１０２が当該所定の操作に対応する処理として、前記メニュー画面を表示せず、履歴観測窓画面Ｗ３を表示するようにしてもよい。
【０１３０】
履歴観測窓画面Ｗ３は、例えば、三個の表示欄Ａ３１、Ａ３２、Ａ３３によって構成すればよい。表示欄Ａ３１には、終了キーＫｅが含まれるようにすればよい。そして、ユーザによって終了キーＫｅがタッチ操作され、ステップＳ１０において、当該タッチ操作を操作部７が受け付けた場合、表示制御部１０２が、ステップＳ１１において、履歴観測窓画面Ｗ３を非表示にするようにすればよい。
【０１３１】
また、表示欄Ａ３３には、過去に撮影した一以上の観察画像ＤＰｈを時系列に表示するための各種操作を行うためのボタンを含めるようにすればよい。各種操作には、一以上の観察画像ＤＰｈを時系列に表示する操作、前記時系列に表示する操作を一時停止する操作、現在表示中の観察画像ＤＰｈの前又は後に表示された観察画像ＤＰｈを表示させる操作、最も過去又は最も直近に表示された観察画像ＤＰｈを表示する操作等を含めればよい。
【０１３２】
また、表示制御部１０２が、記憶部８に記憶された過去の一以上の撮影画像から、それぞれ、観測窓画面Ｗ１の表示欄Ａ１２に表示されている観察画像ＤＰに対応する観察領域と同じ観察領域を示す画像を抽出し、当該抽出した一以上の画像を、過去に撮影された一以上の観察画像ＤＰｈとするようにすればよい。
【０１３３】
そして、ユーザによって表示欄Ａ３３に表示されたボタンのタッチ操作が行われ、ステップＳ１０において、当該タッチ操作を操作部７が受け付けたとする。この場合、表示制御部１０２が、ステップＳ１１において、前記抽出した一以上の観察画像ＤＰｈのうち、当該タッチ操作が行われたボタンによって行われた操作に対応する観察画像ＤＰｈを、表示欄Ａ３２に表示するようにすればよい。
【０１３４】
例えば、ユーザによって最も過去に撮影された観察画像ＤＰｈを表示する操作を行うためのボタンがタッチ操作されたとする。この場合、表示制御部１０２は、前記抽出した一以上の観察画像ＤＰｈのうち、当該ボタンによって行われた操作に対応する、最も過去に撮影された撮影画像から抽出した観察画像ＤＰｈを表示欄Ａ３２に表示するようにすればよい。
【０１３５】
また、表示欄Ａ３３に表示されたボタンの操作によらず、または、履歴観測窓画面Ｗ３に表示欄Ａ３３を設けないようにして、前記抽出した一以上の観察画像ＤＰｈの其々を、最も過去に撮影された撮影画像から抽出した観察画像ＤＰｈから順に、所定時間ずつ表示欄Ａ３２に表示するようにしてもよい。
【０１３６】
または、ユーザによって計装画面Ｗ２のグラフ領域Ａ２２５上でタッチ操作が行われ、ステップＳ１０において、当該タッチ操作を操作部７が受け付けたとする。この場合、表示制御部１０２が、ステップＳ１１において、前記抽出した一以上の観察画像ＤＰｈのうち、当該タッチ操作された位置に対応する時刻に撮影された撮影画像から抽出した観察画像ＤＰｈを表示欄Ａ３２に表示するようにしてもよい。
【０１３７】
本処理例によれば、観察画像ＤＰと並べて、過去に撮影された一以上の観察画像ＤＰｈが表示される。このため、ユーザは、現在の観察領域の状況と過去の一以上の時点における観察領域の状況とを比較して、観察領域の状況が現在の状況に至るまでの変遷を容易に把握することができる。
【０１３８】
（３）表示制御部１０２が、観測窓画面Ｗ１に表示された観察画像ＤＰ、計装画面Ｗ２に表示された、目標温度、目標湿度、環境センサー５が検出した試料槽１８内の空気の温度及び湿度とは異なる、観察領域に関連する関連情報を表示するようにしてもよい。
【０１３９】
例えば、試料槽１８内に収容する一以上の試料其々に関連する試料情報を記憶部８に予め記憶するようにしてもよい。試料情報には、各試料の識別情報、各試料を撮影して得られた画像、各試料の試験を行う試験者を示す情報等を含めればよい。
【０１４０】
これに合わせて、表示制御部１０２が、公知の画像認識処理を実行することにより、観察画像ＤＰに含まれる試料の画像の所定の特徴量と、ある特定の試料情報に含まれる試料を撮影した画像（以降、特定試料画像）の所定の特徴量とが一致する場合に、当該特定試料画像を含む試料情報を取得するようにしてもよい。そして、表示制御部１０２が、ステップＳ９において、当該取得した試料情報に含まれる試料の識別情報や当該試料の試験を行う試験者を示す情報等を関連情報として、観察画像ＤＰに含まれる試料の画像と対応付けるようにして表示するようにしてもよい。
【０１４１】
また、試料槽１８内に収容された各試料の表面温度を検出する表面温度センサーを更に備えるようにしてもよい。これに合わせて、表示制御部１０２は、ステップＳ９において、観察画像ＤＰに含まれる試料の画像と対応付けるようにして、前記表面温度センサーによって検出された当該試料の表面温度を関連情報として表示するようにしてもよい。
【０１４２】
また、環境センサー５を、試料槽１８内の空気の温度及び湿度以外に、試料槽１８内の温度分布や風速分布を検出するように構成してもよい。これに合わせて、表示制御部１０２は、ステップＳ９において、当該検出された温度分布や風速分布を示す情報を、関連情報として、表示領域６１内に表示するようにしてもよい。
【０１４３】
（４）ユーザの認証方法及び許可ユーザのユーザ識別情報の取得方法は、ステップＳ１及びステップＳ２に示した方法に限らない。
【０１４４】
例えば、環境試験装置１に画像センサー１３を備えないようにし、認証部１０１が、許可ユーザのユーザ識別情報及び当該許可ユーザのパスワードを入力可能な認証操作画面を、表示領域６１内に表示するようにしてもよい。そして、当該認証操作画面において、ユーザ識別情報及びパスワードの入力操作が行われた場合に、操作部７が当該入力操作を受け付け、認証部１０１が、記憶部８に当該受け付けられたユーザ識別情報及びパスワードが対応付けて記憶されているか否かを判断するようにしてもよい。
【０１４５】
そして、認証部１０１が、記憶部８に当該受け付けられたユーザ識別情報及びパスワードが対応付けて記憶されていると判断した場合に、当該ユーザ識別情報及びパスワードを入力操作したユーザが許可ユーザであるものとして、当該ユーザ識別情報を取得するようにしてもよい。
【０１４６】
（５）ステップＳ９において、表示制御部１０２が、直近の観察画像ＤＰを表示欄Ａ１２に表示し、環境センサー５により直近に検出された試料槽１８内の温度Ａ２２１及び湿度Ａ２２２を表示欄Ａ２２に表示する度に、当該直近の観察画像ＤＰと温度Ａ２２１及び湿度Ａ２２２とを対応付けて記憶部８に記憶するようにしてもよい。
【０１４７】
これに合わせて、制御部１０が、インターフェイス部９を介して外部装置から受信した、試料槽１８内の状況を示す情報の送信要求に応答して、記憶部８に記憶されている一以上の観察画像ＤＰと、当該一以上の観察画像ＤＰに対応付けられた温度Ａ２２１及び湿度Ａ２２２とを、インターフェイス部９を介して、外部装置に返信するようにしてもよい。これにより、前記送信要求を送信した外部装置においても、試料槽１８内の状況を把握できるようにしてもよい。
【０１４８】
（６）表示制御部１０２が、表示欄Ａ１１に、全領域表示キーＫａを表示しないようにし、これに合わせて、表示欄Ａ１１に、初期領域表示キーＫｓを表示しないようにしてもよい。表示制御部１０２が、表示欄Ａ１１に、非表示キーＫｃを表示しないようにしてもよい。表示制御部１０２が、表示欄Ａ１３に、二個の視線変更ボタンＢＲ１、ＢＲ２を表示しないようにしてもよい。表示制御部１０２が、表示欄Ａ１３に、ズームインボタンＢＳ１を表示しないようにしてもよい。表示制御部１０２が、表示欄Ａ１３に、ズームアウトボタンＢＳ２を表示しないようにしてもよい。
【０１４９】
（７）ユーザによって観測窓画面Ｗ１上でピンチ操作が行われた場合に、操作部７が、観測窓画面Ｗ１をピンチ操作に応じて拡大又は縮小して表示する操作を受け付けないようにしてもよい。ユーザによって観測窓画面Ｗ１上でスワイプ操作が行われた場合、操作部７が、観測窓画面Ｗ１の表示位置を当該スワイプ操作に応じて変更する操作を受け付けないようにしてもよい。
【０１５０】
（８）ステップＳ１３において、実行部１０３が、記憶部８に記憶されている観測窓画面Ｗ１のレイアウト情報を、現在表示領域６１に表示されている観測窓画面Ｗ１のレイアウト情報（以降、更新レイアウト情報）に更新するとする。
【０１５１】
この場合、更新レイアウト情報には、更に、観測窓画面Ｗ１の表示レイアウトを示す情報として、観察領域を視認するときの視線を示す情報や、観察領域にズームイン又は観察領域からズームアウトしたことを示す情報等を含めてもよい。
【０１５２】
その後、当該更新レイアウト情報がステップＳ４で取得され、ステップＳ７において、表示制御部１０２が、当該取得した更新レイアウト情報が示す表示レイアウトで観測窓画面Ｗ１を表示するとする。この場合、表示制御部１０２が、当該取得した更新レイアウト情報に含まれる、観察画像ＤＰの表示レイアウトを示す情報に従い、観察領域を視認するときの視線を再設定する。そして、当該再設定後の視線で観察領域を観察したときに見られる画像を表示欄Ａ１２欄に表示したり、観察領域にズームインした画像又は観察領域からズームアウトした画像を表示欄Ａ１２欄に表示するようにしてもよい。
【０１５３】
（９）表示欄Ａ１１に、更に、図７に示した観測窓画面Ｗ１よりも大きく、図８に示した観測窓画面Ｗ１よりも小さい観測窓画面Ｗ１を表示するための表示キーを、一以上含めてもよい。そして、当該一以上の表示キーの其々がユーザによってタッチ操作された場合、表示制御部１０２が、処理例１と同様にして、当該タッチ操作された各表示キーに対応する大きさの観測窓画面Ｗ１を表示するようにしてもよい。尚、当該観測窓画面Ｗ１の表示欄１２には、当該観測窓画面Ｗ１の大きさに対応する大きさに設定された観察領域を表す観察画像ＤＰを表示すればよい。このようにして、ユーザが複数段階の大きさの観測窓画面Ｗ１を容易に切替えて表示できるようにしてもよい。
【０１５４】
（１０）表示制御部１０２が、表示領域６１に観測窓画面Ｗ１及び計装画面Ｗ２を表示後、所定時間（例えば、１時間）が経過したときに、観測窓画面Ｗ１及び計装画面Ｗ２を非表示にするようにしてもよい。又は、表示制御部１０２が、表示領域６１に観測窓画面Ｗ１及び計装画面Ｗ２を表示後、公知の画像認識処理を実行することにより、定期的に、画像センサー１３によって撮影された周辺画像に人物を表す画像が含まれているか否かを判断するようにしてもよい。そして、表示制御部１０２が、周辺画像に人物を表す画像が含まれていないと判断したときは、観測窓画面Ｗ１及び計装画面Ｗ２を非表示にするようにしてもよい。この場合、観測窓画面Ｗ１及び計装画面Ｗ２が非表示にされた後は、ステップＳ１以降の処理を行えばよい。
【符号の説明】
【０１５５】
１  環境試験装置（環境形成装置）
２  開閉扉
３  空調部
４  撮影部
５  環境センサー
６  表示部
７  操作部
８  記憶部
９  インターフェイス部
１０  制御部
１３  画像センサー
１８  試料槽
１９  空調槽
４０ａ〜４０ｄ  カメラ（撮影部）
６１  表示領域
１０１  認証部
１０２  表示制御部
１０３  実行部
ＤＰ  観察画像
ＤＰ１〜ＤＰ８  観察画像
ＤＰａ、ＤＰｂ、ＤＰｈ  観察画像
Ｗ１  観測窓画面
Ｗ２  計装画面
Ｗ３  履歴観測窓画面
【図１】
2019203715.tif 000003
【図２】
2019203715.tif 000004
【図３】
2019203715.tif 000005
【図４】
2019203715.tif 000006
【図５】
2019203715.tif 000007
【図６】
2019203715.tif 000008
【図７】
2019203715.tif 000009
【図８】
2019203715.tif 000010
【図９】
2019203715.tif 000011
【図１０】
2019203715.tif 000012
【図１１】
2019203715.tif 000013
【図１２】
2019203715.tif 000014
【図１３】
2019203715.tif 000015
【図１４】
2019203715.tif 000016
【図１５】
2019203715.tif 000017
【図１６】
2019203715.tif 000018